(57)【要約】  本開示は、参照信号を構成するための方法及び装置を提供し、この方法は、第１のタイプの参照信号インデクスの第１のタイプのパラメータ集合を構成することであって、第１のタイプのパラメータ集合は、Ｎ個のインデクス要素を含み、Ｎは、１以上の整数であることと、第１のタイプのパラメータ集合に従って、第１のタイプのパラメータ集合を搬送する第１のタイプのシグナリングを生成することと、第１のタイプのシグナリングを第２の通信ノードに送信することとを含む。【選択図】図１
2020529804.tif 000002
【特許請求の範囲】
【請求項１】
第１の通信ノードに適用される参照信号構成方法において、
第１のタイプの参照信号インジケータの第１のタイプのパラメータ集合を構成することであって、前記第１のタイプのパラメータ集合は、Ｎ個のインジケータ要素を含み、Ｎは、１以上の整数であることと、
前記第１のタイプのパラメータ集合に従って第１のタイプのシグナリングを生成することであって、前記第１のタイプのシグナリングは、前記第１のタイプのパラメータ集合を搬送することと、
前記第１のタイプのシグナリングを第２の通信ノードに送信することと、
を含む方法。
【請求項２】
請求項１に記載の方法において、前記第１のタイプのパラメータ集合は、少なくとも、データチャネルリソース要素（ＲＥ）のマッピング情報、制御チャネルＲＥのマッピング情報、復調参照信号（ＤＭＲＳ）ポートの準コロケーション（ＱＣＬ）情報、ＤＭＲＳポートグループのＱＣＬ情報、又はチャネル状態情報参照信号（ＣＳＩ−ＲＳ）の参照信号設定情報の１つを含む方法。
【請求項３】
請求項１に記載の方法において、
前記第１のタイプのパラメータ集合は、Ｆ個の第１のタイプのパラメータ下位集合を含み、各下位集合は、Ｇ個のインジケータ要素を含み、Ｆ及びＧは、１以上の整数である方法。
【請求項４】
請求項３に記載の方法において、
前記第１のタイプのパラメータ下位集合に含まれる参照信号は、前記Ｇ個のインジケータ要素の１つに関連付けられ、
前記関連付けは、前記第１のタイプのパラメータ下位集合に含まれる参照信号と、前記関連付けされたインジケータ要素に対応する参照信号とが、チャネル特性仮定を満たすことであり、前記チャネル特性仮定は、ＱＣＬ仮定、空間ＱＣＬ仮定、又は空間受信パラメータ要件を満たすことのいずれか１つを含む方法。
【請求項５】
請求項１に記載の方法において、
前記インジケータ要素は、インジケータ要素番号、参照信号（ＲＳ）タイプインジケータ、ＲＳリソース設定インジケータ、ＲＳリソース集合インジケータ、ＲＳリソースインジケータ、ＲＳリソースポートインジケータ、ブロックインジケータ、ブロックバーストインジケータ、ブロックバースト集合インジケータ、測定制約窓インジケータ、時間領域窓インジケータ、報告設定インジケータ、ビームグループインジケータ、測定制約、設定制約、及び時間領域制約を含む設定情報の少なくとも１つを含む方法。
【請求項６】
請求項１に記載の方法において、
前記第１のタイプのシグナリングを前記第２の通信ノードに送信する際、前記第１のタイプの参照信号は、構成された参照信号、測定された参照信号、又は報告された参照信号である方法。
【請求項７】
請求項１に記載の方法において、
第１のタイプの参照信号は、同期信号ブロック（ＳＳブロック）、チャネル状態情報参照信号（ＣＳＩ−ＲＳ）、チャネルサウンディング参照信号（ＳＲＳ）、物理ランダムアクセスチャネル（ＰＲＡＣＨ）、又は復調参照信号（ＤＭＲＳ）の少なくとも１つを含む方法。
【請求項８】
請求項１から請求項７のいずれか一項に記載の方法において、
前記第１のタイプのパラメータ集合のインジケータ要素の一部又は前記第１のタイプの参照信号集合の下位集合の一部を更新すること、又は
前記第１のタイプのパラメータ集合のインジケータ要素の一部又は前記第１のタイプの参照信号集合の下位集合の一部を削除すること、又は
前記第１のタイプのパラメータ集合にインジケータ要素を追加することを更に含む方法。
【請求項９】
請求項１から請求項７のいずれか一項に記載の方法において、
前記第１のタイプのパラメータ集合内の構成されたインジケータ要素番号が前記シグナリングによって指示されたインジケータ要素番号と一致する場合、前記シグナリングの指示に基づいて、前記構成されたインジケータ要素番号下の内容を、前記シグナリングによって搬送される内容に更新又は構成することを更に含む方法。
【請求項１０】
請求項８に記載の方法において、
サポートされる前記第１のタイプの参照信号インジケータの最大数は、Ｎ以上である方法。
【請求項１１】
請求項１に記載の方法において、
第２のタイプのシグナリングを生成することであって、前記第２のタイプのシグナリングは、前記第１のタイプのパラメータ集合又は前記第１のタイプのパラメータ集合の第１のタイプのパラメータ下位集合内のインジケータ要素を選択、アクティブ化、又は非アクティブ化するために使用され、Ｋ個の選択された又はアクティブ化されたインジケータ要素又はＫ個の選択された又はアクティブ化された前記第１のタイプのパラメータ集合の第１のタイプのパラメータ下位集合は、第２タイプのパラメータ集合を構成し、Ｋは、１以上の整数であることと、
前記第２のタイプのシグナリングを前記第２の通信ノードに送信することとを更に含む方法。
【請求項１２】
請求項１１に記載の方法において、
前記第２のタイプのパラメータ集合にインジケータ要素を追加すること、又は
前記第２タイプのパラメータ集合から、前記第１のタイプのパラメータ集合に属していないインジケータ要素を削除することを更に含む方法。
【請求項１３】
請求項１、請求項１１、又は請求項１２に記載の方法において、
前記第２のタイプのパラメータ集合又は前記第１のタイプのパラメータ集合の少なくとも１つからインジケータ要素を選択して第３のタイプのパラメータ集合を構成することであって、前記第３のタイプのパラメータ集合は、Ｒ個の第３のタイプのパラメータ下位集合を含み、各下位集合は、ｈｉ個のインジケータ要素を含み、Ｒ及びｈｉは、１以上の整数である方法。
【請求項１４】
請求項１から請求項７及び請求項１０から請求項１２のいずれか一項に記載の方法において、
第３のタイプのシグナリングを生成することであって、前記第３のタイプのシグナリングは、前記第１のタイプのパラメータ集合内のインジケータ要素、前記第２のタイプのパラメータ集合内のインジケータ要素、又は前記第３のタイプのパラメータ集合の第３のタイプのパラメータ下位集合が、前記第２のタイプの参照信号にマッピングされ及び関連付けられていることを示すために使用されることと、
前記第３のタイプのシグナリング前記を第２の通信ノードに送信することとを更に含む方法。
【請求項１５】
請求項１４に記載の方法において、
第２のタイプの参照信号は、データチャネルリソース要素（ＲＥ）のマッピング情報、制御チャネルＲＥのマッピング情報、ＤＭＲＳポート情報、ＤＭＲＳポートグループ情報、チャネル状態情報参照信号（ＣＳＩ−ＲＳ）の参照信号設定情報、又は物理ダウンリンク共有チャネルＲＥマッピング及び準コロケーションインジケータ（ＰＱＩ）情報のうちの１つを含む方法。
【請求項１６】
請求項１、請求項１１又は請求項１２に記載の方法において、
第４のタイプのシグナリングを生成することであって、前記第４のタイプのシグナリングは、前記第２タイプのパラメータ集合内のインジケータ要素、又は前記第２タイプのパラメータ集合内のアクティブ化され又は選択された第１のタイプのパラメータ下位集合、又は前記第１のタイプのパラメータ集合の第１のタイプのパラメータ下位集合、又は前記第１のタイプのパラメータ集合内のインジケータ要素が、前記第４のタイプのシグナリングに関連するデータ又は制御チャネルの復調及び／又はビーム指示のために使用されることを示すことと、
前記第４のタイプのシグナリングを前記第２の通信ノードに送信することと、
を更に含む方法。
【請求項１７】
請求項１４に記載の方法において、
前記第２のタイプの参照信号は、Ｕ個の第２のタイプの参照信号下位集合を含み、前記Ｕ個の第２のタイプの参照信号下位集合のそれぞれは、チャネル特性仮定を満たし、前記第１のタイプのパラメータ集合内の前記インジケータ要素の数、前記第２のタイプのパラメータ集合内の前記インジケータ要素の数、又は前記第３のタイプのパラメータ下位集合内の前記インジケータ要素の数は、Ｔであり、Ｕ及びＴは、１以上の整数であり、前記チャネル特性仮定は、ＱＣＬ仮定、空間ＱＣＬ仮定、又は空間受信パラメータ要件を満たすことのいずれか１つを含む方法。
【請求項１８】
請求項１７に記載の方法において、
前記第２のタイプの参照信号下位集合又は第２のタイプの参照信号要素は、１つのインジケータ要素のみにマッピングできる方法。
【請求項１９】
請求項１４に記載の方法において、
マッピング規則は、
前記第１の通信ノードによって構成された又は事前定義されたマッピング関係集合からのマッピング関係を指定すること、
シーケンス番号の昇順又はシーケンス番号の降順に、Ｕ個の前記第２タイプの参照信号がＶステップを有するＴ個のインジケータ要素又は下位集合にマッピングされるように連続的に下位集合を指定すること、及び
事前定義されたマッピングパターンに従って、前記Ｕ個の第２タイプの参照信号下位集合を前記Ｔ個のインジケータ要素又は下位集合に連続的にマッピングすることのうちの少なくとも１つを含み、
Ｖは、１又は１より大きい若しくは小さい正の数であり、累積ステップが整数でない場合、Ｖは、整数に丸められる方法。
【請求項２０】
請求項１９に記載の方法において、
Ｖ＝Ｔ／Ｕであり又はＶは第１の通信ノードによって指定される方法。
【請求項２１】
請求項１４に記載の方法において、
前記第２のタイプの参照信号は、アップリンク復調参照信号（ＵＬ  ＤＭＲＳ）、ダウンリンク復調参照信号（ＤＬ  ＤＭＲＳ）、チャネル状態情報参照信号（ＣＳＩ−ＲＳ）、サウンディング参照信号（ＳＲＳ）、又はトラッキング参照信号（ＴＲＳ）の少なくとも１つを含む方法。
【請求項２２】
請求項１４に記載の方法において、
前記第２のタイプの参照信号、及び前記第１のタイプのパラメータ集合内の前記インジケータ要素、前記第２のタイプのパラメータ集合内の前記インジケータ要素又は前記第３のタイプのパラメータ集合の下位集合内の前記インジケータ要素に対応する参照信号は、前記チャネル特性仮定を満し、前記チャネル特性仮定は、ＱＣＬ仮定、空間ＱＣＬ仮定、又は空間受信パラメータ要件を満たすことのいずれか１つを含む方法。
【請求項２３】
請求項２２に記載の方法において、
前記第２のタイプのパラメータ集合のシグナリングの送信から前記第２のタイプのパラメータ集合のシグナリングが有効になるまでの時間、又は前記第３のタイプのパラメータ集合のシグナリングの送信から前記第３のタイプのパラメータ集合のシグナリングが有効になるまでの時間は、Ｙ個の時間単位又はＸ個の時間窓を必要とし、前記時間単位は、直交周波数分割多重（ＯＦＤＭ）シンボル、スロット、又はサブフレームである方法。
【請求項２４】
請求項１３に記載の方法において、
前記第１のタイプのパラメータ集合内のインジケータ要素をアクティブ化又は選択した後、又は前記第２のタイプのパラメータ集合にインジケータ要素を追加した後、これらの要素についてチャネル特性仮定を満たす第３のタイプの参照信号を送信することを更に含み、前記チャネル特性仮定は、ＱＣＬ仮定、空間ＱＣＬ仮定、又は空間受信パラメータ要件を満たすことのいずれか１つを含む方法。
【請求項２５】
請求項２４に記載の方法において、
前記第１のタイプのパラメータ集合内のインジケータ要素をアクティブ化又は選択し又は前記第２のタイプのパラメータ集合にインジケータ要素を追加する際、Ｘ個の時間単位後、又は第２の通信ノードが応答した肯定応答のＸ個の時間単位の後に、前記第３のタイプの参照信号を送信すること、又は周期的又は半永続的送信窓上で前記第３のタイプの参照信号を送信することを更に含み、Ｘは、０以上の整数であり、前記時間単位は、ＯＦＤＭシンボル、スロット、又はサブフレームである方法。
【請求項２６】
請求項２４に記載の方法において、
前記第３のタイプの参照信号は、チャネル状態情報参照信号（ＣＳＩ−ＲＳ）又はトラッキング参照信号（ＴＲＳ）の少なくとも１つを含む方法。
【請求項２７】
第１の通信ノードに適用される参照信号構成装置であって、
第１のタイプの参照信号インジケータの第１のタイプのパラメータ集合を構成するように構成された第１の構成モジュールであって、前記第１のタイプのパラメータ集合は、Ｎ個のインジケータ要素を含み、Ｎは、１以上の整数である第１の構成モジュールと、
前記第１のタイプのパラメータ集合に従って第１のタイプのシグナリングを生成するように構成された第１の生成モジュールであって、前記第１のタイプのシグナリングは、前記第１のタイプのパラメータ集合を搬送する第１の生成モジュールと、
前記第１のタイプのシグナリングを第２の通信ノードに送信するように構成された第１の送信モジュールと、
を備える参照信号構成装置。
【請求項２８】
第２の通信ノードに適用される参照信号構成方法であって、
第１の通信ノードによって送信された第１のタイプのシグナリングを受信することと、
前記第１のタイプのシグナリングに従って第１のタイプの参照信号インジケータの構成された第１のタイプのパラメータ集合を判定することであって、前記第１のタイプのパラメータ集合は、Ｎ個のインジケータ要素を含み、Ｎは、１以上の整数であることと、
を含む方法。
【請求項２９】
請求項２８に記載の方法において、
前記第１の通信ノードによって送信された第２のタイプのシグナリングを受信することと、
前記第２のタイプのシグナリングに従って、前記第１のタイプのパラメータ集合又は前記第１のタイプのパラメータ集合の第１のタイプのパラメータ下位集合内のインジケータ要素を選択、アクティブ化、又は非アクティブ化することであって、Ｋ個の選択された又はアクティブ化されたインジケータ要素又はＫ個の選択された又はアクティブ化された前記第１のタイプのパラメータ集合の前記第１のタイプのパラメータ下位集合は、第２のタイプのパラメータ集合を構成し、Ｋは、１以上の整数であることと、
を含む方法。
【請求項３０】
請求項２８に記載の方法において、
前記第１の通信ノードから送信された第３のタイプのシグナリングを受信することと、
前記第３のタイプのシグナリングに従って、前記第１のタイプのパラメータ集合内のインジケータ要素、前記第２のタイプのパラメータ集合内のインジケータ要素、又は前記第３のタイプのパラメータ集合の第３のタイプのパラメータ下位集合が、前記第２のタイプの参照信号にマッピングされ及び関連付けられていることを判定することと、
を含む方法。
【請求項３１】
請求項２８に記載の方法において、
前記第１の通信ノードによって送信された第４のタイプのシグナリングを受信することと、
前記第４のタイプのシグナリングに従って、前記第２のタイプのパラメータ集合内のインジケータ要素、又は前記第２のタイプのパラメータ集合内のアクティブ化され又は選択された第１のタイプのパラメータ下位集合、又は前記第１のタイプのパラメータ集合の第１のタイプのパラメータ下位集合、又は前記第１のタイプのパラメータ集合内のインジケータ要素が、前記第４のタイプのシグナリングに関連するデータ又は制御チャネルの復調及び／又はビーム指示のために使用されることを判定することを
更に含む方法。
【請求項３２】
第２の通信ノードに適用される参照信号構成装置であって、
前記第１の通信ノードによって送信された第１のタイプのシグナリングを受信するように構成された第１の受信モジュールと、
前記第１のタイプのシグナリングに従って、前記第１のタイプの参照信号インジケータの構成された第１のタイプのパラメータ集合を判定するように構成された処理モジュールであって、前記第１のタイプのパラメータ集合は、Ｎ個のインジケータ要素を含み、Ｎは、１以上の整数である処理モジュールと、
を備える参照信号構成装置。
【請求項３３】
プログラムを格納した記憶媒体であって、前記プログラムが実行されると、請求項１から請求項２６のいずれか一項に記載の方法又は請求項２８から請求項３１のいずれか一項に記載の方法が実行される記憶媒体。
【請求項３４】
プログラムを実行するプロセッサであって、実行されると、請求項１から請求項２６のいずれか一項に記載の方法、又は請求項３１から請求項２８のいずれか一項に記載の方法を実行するプロセッサ。
【発明の詳細な説明】
【技術分野】
【０００１】
関連出願との相互参照
本出願は、２０１７年８月１１日に出願された中国特許出願第２０１７１０６８７８０６．６号に基づいており、その優先権を主張するものであり、その内容全体は、参照によって本明細書に援用される。
【０００２】
技術分野
本開示は、以下に限定されるものではないが、通信の分野に関する。
【背景技術】
【０００３】
超広帯域の高周波帯域（例えば、ミリ波通信）は、今後の移動通信の発展にとって重要な方向となっており、世界中の学者や産業界の注目を集めている。特に、スペクトルリソースの輻輳の増加と大量の物理ネットワークアクセスにより、ミリ波の利点はますます魅力的になっている。ＩＥＥＥ及び３ＧＰＰ等の多くの標準化団体は、対応する標準化作業を開始している。例えば、３ＧＰＰ標準化グループでは、より高い周波数帯域の通信は、帯域幅が広いという大きな利点を有するために、５Ｇの新しい無線アクセス技術（Ｎｅｗ  ＲＡＴ）の重要な革新点となっている。
【０００４】
しかしながら、より高い周波数の通信は、リンク減衰の課題に直面している。具体的には、リンク減衰は、大きな伝搬路損失、より大きな空気（特に酸素）吸収、及びより大きな降雨減衰効果を含む。これらの課題に対し、高周波通信システムは、高周波帯域の短波長と容易なアンテナ統合とを利用して、高いアンテナ利得を獲得するとともに、マルチアンテナアレイとビームフォーミングによって信号伝送損失を補い、これによってリンクマージンを確保し、通信ロバスト性を改善できる。
【０００５】
アンテナ重み（プリコーディング、ビームとも呼ばれる）トレーニングでは、高周波数帯域送信機は、トレーニングパイロットを送信し、受信機は、チャネルを受信し、チャネル推定を実行する。次に、高周波数帯域の受信機は、チャネル状態情報をトレーニング送信機にフィードバックする必要があり、これにより、送信機及び受信機は、利用可能な送受信アンテナ重み対から、マルチパスデータ送信に必要な複数の送受信アンテナ重み対を選択でき、全体的なスペクトル効率を改善できる。関連するミリ波通信システムでは、ビーム指示は、送信ビームのシーケンス番号に基づいており、受信機のビームトレーニングを更に支援する。ビーム指示は、参照信号を介して実行される。ユーザの動きとチャネルの変化により、ビーム指示はますます使用が難しくなり、参照信号オーバヘッドの大幅な増加という課題に直面する。
【０００６】
既存の技術における参照信号属性又は特性の後続の構成動作に参照信号インジケータをどのように効果的に適用するか、例えば、参照信号をどのように構成するかという問題について、有効なソリューションはまだ提案されていない。
【発明の概要】
【課題を解決するための手段】
【０００７】
本開示の実施形態は、参照信号構成方法及び装置を提供する。
【０００８】
本開示の一実施形態は、第１の通信ノードに適用される参照信号構成方法を提供する。この方法は、第１のタイプの参照信号インジケータの第１のタイプのパラメータ集合を構成することであって、第１のタイプのパラメータ集合は、Ｎ個のインジケータ要素を含み、Ｎは、１以上の整数であることと、第１のタイプのパラメータ集合に従って第１のタイプのシグナリングを生成することであって、第１のタイプのシグナリングは、第１のタイプのパラメータ集合を搬送することと、第１のタイプのシグナリングを第２の通信ノードに送信することとを含む。
【０００９】
本発明の別の実施形態は、第１の通信ノードに適用される参照信号構成装置を提供する。この装置は、第１のタイプの参照信号インジケータの第１のタイプのパラメータ集合を構成するように構成された第１の構成モジュールであって、第１のタイプのパラメータ集合は、Ｎ個のインジケータ要素を含み、Ｎは、１以上の整数である第１の構成モジュールと、第１のタイプのパラメータ集合に従って第１のタイプのシグナリングを生成するように構成された第１の生成モジュールであって、第１のタイプのシグナリングは、第１のタイプのパラメータ集合を搬送する第１の生成モジュールと、第１のタイプのシグナリングを第２の通信ノードに送信するように構成された第１の送信モジュールとを備える。
【００１０】
本開示の別の実施形態は、第２の通信ノードに適用される参照信号構成方法を提供する。この方法は、第１の通信ノードによって送信された第１のタイプのシグナリングを受信することと、第１のタイプのシグナリングに従って第１のタイプの参照信号インジケータの構成された第１のタイプのパラメータ集合を判定することであって、第１のタイプのパラメータ集合は、Ｎ個のインジケータ要素を含み、Ｎは、１以上の整数であることとを含む。
【００１１】
本発明の別の実施形態は、第２の通信ノードに適用される参照信号構成装置を提供する。この装置は、第１の通信ノードによって送信された第１のタイプのシグナリングを受信するように構成された第１の受信モジュールと、第１のタイプのシグナリングに従って、第１のタイプの参照信号インジケータの構成された第１のタイプのパラメータ集合を判定するように構成された処理モジュールであって、第１のタイプのパラメータ集合は、Ｎ個のインジケータ要素を含み、Ｎは、１以上の整数である処理モジュールとを備える。
【００１２】
本開示の別の実施形態は、記憶媒体を提供する。記憶媒体は、実行されると、上述の実施形態のいずれか１つの方法を実行する格納されたプログラムを含む。
【００１３】
本開示の別の実施形態は、プロセッサを提供する。プロセッサは、プログラムを実行するように構成されている。このプログラムは、実行されると、上述の実施形態のいずれか１つの方法を実行する。
【００１４】
本開示の実施形態では、第１のタイプの参照信号インジケータの第１のタイプのパラメータ集合が構成され、第１のタイプのパラメータ集合は、Ｎ個のインジケータ要素を含み、Ｎは、１以上の整数である。第１のタイプのシグナリングは、第１のタイプのパラメータ集合に従って生成され、第１のタイプのシグナリングは、第１のタイプのパラメータ集合を搬送する。第１のタイプのシグナリングは、第２の通信ノードに送信される。既存の技術において、どのようにして参照信号の属性や特性を後の設定操作に効率よく適用するか、すなわち、参照信号をどのように設定するかについての課題が解決される。参照信号構成が実現される。参照情報インジケータ集合は、柔軟に拡張又は変更できる。
【００１５】
以下に説明する図面は、本開示の更なる理解を提供し、本出願の一部を構成するために使用される。本開示における例示的な実施形態及びその説明は、本開示を説明することを目的として使用される。
【図面の簡単な説明】
【００１６】
【図１】本開示の一実施形態に基づく参照信号構成方法のフローチャートである。
【図２】本開示の一実施形態に基づく参照信号に関連するインジケータ集合の概略図である。
【図３】本開示の一実施形態に基づく参照信号のチャネル特性を示す概略図である。
【図４】本開示の一実施形態に基づく参照信号インジケータの集合のグループ化の概略図である。
【図５】本開示の一実施形態に基づき、物理的ダウンリンク共有チャネルＲＥマッピング及び準コロケーションインジケータ（ＰＱＩ）及びＣＳＩ−ＲＳインジケータ要素を介して、参照信号のチャネル特性及びリソースマッピングが共に示されることを示す概略図である。
【図６】本発明の一実施形態に基づく参照信号構成装置のブロック図である。
【発明を実施するための形態】
【００１７】
以下、図面を参照する実施形態と共に本開示を詳細に説明する。なお、本出願における実施形態及びその特徴は、矛盾が生じない限り、互いに組み合わすことができる。
【００１８】
また、本開示の明細書、特許請求の範囲、及び上記図面における「第１」、「第２」等の用語は、類似の対象を区別するために使用しており、必ずしも特定の順序又は順列を示すものではない。
【００１９】
実施形態１
本実施形態は、第１の通信ノードに適用される参照信号構成方法を提供する。図１は、本発明の実施形態に基づく参照信号構成方法のフローチャートである。図１に示すように、この方法は、以下に説明するステップを含む。
【００２０】
ステップＳ１０２では、第１のタイプの参照信号インジケータの第１のタイプのパラメータ集合が構成され、第１のタイプのパラメータ集合は、Ｎ個のインジケータ要素を含み、Ｎは、１以上の整数である。
【００２１】
ステップＳ１０４では、第１のタイプのパラメータ集合に従って第１のタイプのシグナリングが生成され、第１のタイプのシグナリングは、第１のタイプのパラメータ集合を搬送する。
【００２２】
ステップＳ１０６では、第１のタイプのシグナリングが第２の通信ノードに送信される。
【００２３】
これに対応して、第２の通信ノードは、第１の通信ノードによって送信された第１のタイプのシグナリングを受信する。
【００２４】
第２の通信ノードは、第１のタイプのシグナリングに従って、第１のタイプの参照信号インジケータの構成された第１のタイプのパラメータ集合を判定する。
【００２５】
以上のステップにより、第１のタイプの参照信号インジケータの第１のタイプのパラメータ集合が構成され、第１のタイプのパラメータ集合は、Ｎ個のインジケータ要素を含み、Ｎは、１以上の整数である。第１のタイプのシグナリングは、第１のタイプのパラメータ集合に従って生成され、第１のタイプのシグナリングは、第１のタイプのパラメータ集合を搬送する。第１のタイプのシグナリングは、第２の通信ノードに送信される。これにより、既存の技術における、どのようにして参照信号の属性や特性を後の設定操作に効率よく適用するか、例えば、参照信号をどのように設定するかについての課題が解決される。参照信号構成が実現される。参照情報インジケータ集合は、柔軟に拡張又は変更できる。
【００２６】
一実施形態では、第１のタイプのパラメータ集合は、少なくとも、データチャネルリソース要素（ＲＥ）のマッピング情報、制御チャネルＲＥのマッピング情報、復調参照信号（ＤＭＲＳ）ポートの準コロケーション（ＱＣＬ）情報、ＤＭＲＳポートグループのＱＣＬ情報、又はチャネル状態情報参照信号（ＣＳＩ−ＲＳ）の参照信号設定情報の１つを含む。
【００２７】
一実施形態では、第１のタイプのパラメータ集合は、Ｆ個の第１のタイプのパラメータ下位集合を含み、各下位集合は、Ｇ個のインジケータ要素を含み、ここで、Ｆ及びＧは、１以上の整数である。
【００２８】
一実施形態では、第１のタイプのパラメータ下位集合に含まれる参照信号は、Ｇ個のインジケータ要素の１つに関連付けられる。
【００２９】
関連付けとは、第１のタイプのパラメータ集合の第１のタイプのパラメータ下位集合に含まれる参照信号と、関連するインジケータ要素に対応する参照信号とが、チャネル特性仮定を満たすことを意味し、チャネル特性仮定は、ＱＣＬ仮定（QCL assumption）、空間ＱＣＬ仮定（spatial QCL assumption）、又は空間受信パラメータ要件を満たすことのいずれか１つを含む。
【００３０】
一実施形態では、インジケータ要素は、インジケータ要素番号、参照信号（ＲＳ）タイプインジケータ、ＲＳリソース設定インジケータ、ＲＳリソース集合インジケータ、ＲＳリソースインジケータ、ＲＳリソースポートインジケータ、ブロックインジケータ、ブロックバーストインジケータ、ブロックバースト集合インジケータ、測定制約窓インジケータ、時間領域窓インジケータ、報告設定インジケータ、ビームグループインジケータ、測定制約、設定制約、及び時間領域制約の設定情報のうちの少なくとも１つを含む。
【００３１】
一実施形態では、第１のタイプのシグナリングが第２の通信ノードに送信される際、第１のタイプの参照信号は、構成され、測定され、又は報告された参照信号である。
【００３２】
一実施形態では、第１のタイプの参照信号は、同期信号ブロック（synchronization signal block：ＳＳブロック）、チャネル状態情報参照信号（channel state information reference signal：ＣＳＩ−ＲＳ）、サウンディング参照信号（sounding reference signal：ＳＲＳ）、物理ランダムアクセスチャネル（physical random access CHannel：ＰＲＡＣＨ）、又は復調参照信号（demodulation reference signal：ＤＭＲＳ）の少なくとも１つを含む。
【００３３】
一実施形態では、この方法は、更に、第１のタイプのパラメータ集合のインジケータ要素の一部又は第１のタイプの参照信号集合の下位集合の一部を更新すること、又は第１のタイプのパラメータ集合のインジケータ要素の一部又は第１のタイプの参照信号集合の下位集合の一部を削除すること、又は第１のタイプのパラメータ集合にインジケータ要素を追加することを含む。
【００３４】
一実施形態では、第１のタイプのパラメータ集合内の構成されたインジケータ要素番号が、シグナリングによって指示されたインジケータ要素番号と一致する場合、シグナリング指示に基づいて、構成されたインジケータ要素番号下の内容を、シグナリングによって搬送される内容に更新又は構成する。
【００３５】
一実施形態では、サポートされる第１のタイプの参照信号インジケータの最大数は、Ｎ以上である。
【００３６】
一実施形態では、この方法は、更に、第２のタイプのシグナリングを生成し、第２のタイプのシグナリングを第２の通信ノードに送信することを含む。第２のタイプのシグナリングは、第１のタイプのパラメータ集合又は第１のタイプのパラメータ集合の第１のタイプのパラメータ下位集合内のインジケータ要素を選択、アクティブ化、又は非アクティブ化するために使用される。例えば、Ｋ個の選択された又はアクティブ化されたインジケータ要素又はＫ個の選択された又はアクティブ化された第１のタイプのパラメータ下位集合は、第２タイプのパラメータ集合を構成し、Ｋは、１以上の整数である。
【００３７】
これに対応して、第２の通信ノードは、第１の通信ノードによって送信された第２のタイプのシグナリングを受信する。
【００３８】
第２のタイプのシグナリングに従って、第２の通信ノードは、第１のタイプのパラメータ集合又は第１のタイプのパラメータ集合の第１のタイプのパラメータ下位集合内のインジケータ要素を選択、アクティブ化又は非アクティブ化する。
【００３９】
一実施形態では、この方法は、更に、第２のタイプのパラメータ集合にインジケータ要素を追加すること又は第２タイプのパラメータ集合から、第１のタイプのパラメータ集合に属していないインジケータ要素を削除することを含む。
【００４０】
一実施形態では、この方法は、更に、第２タイプのパラメータ集合又は第１のタイプのパラメータ集合の少なくとも１つからインジケータ要素を選択して、第３のタイプのパラメータ集合を構成することを含む。第３のタイプのパラメータ集合は、Ｒ個の下位集合を含み、各第３のタイプのパラメータ下位集合は、ｈｉ個のインジケータ要素を含み、ここでＲ及びｈｉは、１以上の整数である。
【００４１】
一実施形態では、この方法は、更に、第３のタイプのシグナリングを生成することと、第３のタイプのシグナリングを第２の通信ノードに送信することとを含む。第３のタイプのシグナリングは、第１のタイプのパラメータ集合内のインジケータ要素、第２のタイプのパラメータ集合内のインジケータ要素、又は第３のタイプのパラメータ集合の下位集合が、第２のタイプの参照信号にマッピングされ及び関連付けられていることを示すために使用される。
【００４２】
これに対応して、第２の通信ノードは、第１の通信ノードによって送信された第３のタイプのシグナリングを受信する。
【００４３】
第２の通信ノードは、第３のタイプのシグナリングに従って、第１のタイプのパラメータ集合内のインジケータ要素、第２のタイプのパラメータ集合内のインジケータ要素、又は第３のタイプのパラメータ集合の下位集合が、第２のタイプの参照信号にマッピングされ及び関連付けられていることを判定する。
【００４４】
本実施形態では、第２のタイプの参照信号は、更に、データチャネルリソース要素（ＲＥ）のマッピング情報、制御チャネルＲＥのマッピング情報、ＤＭＲＳポート情報、ＤＭＲＳポートグループ情報、又はチャネル状態情報参照信号（ＣＳＩ−ＲＳ）の構成情報、又は物理ダウンリンク共有チャネルＲＥマッピング及び準コロケーションインジケータ（quasi-co-location indicator：ＰＱＩ）情報のいずれか１つを含む。
【００４５】
一実施形態では、この方法は、更に、第４のタイプのシグナリングを生成し、第４のタイプのシグナリングを第２の通信ノードに送信することを含む。
【００４６】
第４のタイプのシグナリングは、第２のタイプのパラメータ集合内のインジケータ要素、第２のタイプのパラメータ集合内のアクティブ化され又は選択された第１のタイプのパラメータ下位集合内のインジケータ要素、又は第１のタイプのパラメータ集合の第１のタイプのパラメータ下位集合、又は第１のタイプのパラメータ集合内のインジケータ要素が、第４のタイプのシグナリングに関連するデータチャネル又は制御チャネルの復調及び／又はビーム指示のために使用されることを示す。
【００４７】
これに対応して、第２の通信ノードは、第１の通信ノードによって送信された第４のタイプのシグナリングを受信する。
【００４８】
第２の通信ノードは、第４のタイプのシグナリングに従って、第２のタイプのパラメータ集合内のインジケータ要素、第２のタイプのパラメータ集合内のアクティブ化され又は選択された第１のタイプのパラメータ下位集合、第１のタイプのパラメータ集合の第１のタイプのパラメータ下位集合、又は第１のタイプのパラメータ集合内のインジケータ要素が、第４のタイプのシグナリングに関連するデータチャネル又は制御チャネルの復調及び／又はビーム指示のために使用されることを判定する。
【００４９】
一実施形態では、この方法は、更に、第２のタイプの参照信号がＵ個の第２のタイプの参照信号下位集合を含み、Ｕ個の第２のタイプの参照信号下位集合のそれぞれがチャネル特性仮定を満たすことを含む。第１のタイプのパラメータ集合内のインジケータ要素の数、第２のタイプのパラメータ集合内のインジケータ要素の数、又は第３のタイプのパラメータ下位集合内のインジケータ要素の数は、Ｔであり、Ｕ及びＴは、１以上の整数である。チャネル特性仮定は、ＱＣＬ仮定、空間ＱＣＬ仮定、又は空間受信パラメータ要件を満たすことのいずれか１つを含む。
【００５０】
一実施形態では、第２タイプの参照信号下位集合又は第２タイプの参照信号要素は、１つのインジケータ要素のみにマッピングできる。
【００５１】
一実施形態では、マッピング規則は、以下の規則のうちの少なくとも１つを含む。
【００５２】
第１の通信ノードによって構成された又は事前定義されたマッピング関係集合からのマッピング関係を指定する。
【００５３】
シーケンス番号の昇順又はシーケンス番号の降順に、Ｕ個の第２のタイプの参照信号下位集合がＶステップを有するＴ個のインジケータ要素又は下位集合にマッピングされるように指定する。
【００５４】
事前定義されたマッピングパターンに従って、Ｕ個の第２タイプの参照信号下位集合をＴ個のインジケータ要素又は下位集合に連続的にマッピングする。
【００５５】
Ｖは、１又は１より大きい又は１より小さい正の数である。累積ステップが整数でない場合、Ｖは、整数に丸められる。
【００５６】
一実施形態では、Ｖ＝Ｔ／Ｕであり、又はＶは第１の通信ノードによって指定される。
【００５７】
一実施形態では、第２タイプの参照信号は、アップリンク復調参照信号（ＵＬ  ＤＭＲＳ）、ダウンリンク復調参照信号（ＤＬ  ＤＭＲＳ）、チャネル状態情報参照信号（ＣＳＩ−ＲＳ）、サウンディング参照信号（ＳＲＳ）、又はトラッキング参照信号（ＴＲＳ）の少なくとも１つを含む。
【００５８】
一実施形態では、第１のタイプのパラメータ集合内のインジケータ要素、第２のタイプのパラメータ集合内のインジケータ要素、又は第３のタイプのパラメータ集合内の下位集合に対応する参照信号、及び第２のタイプの参照信号は、チャネル特性仮定を満たし、チャネル特性仮定は、ＱＣＬ仮定、空間ＱＣＬ仮定、又は空間受信パラメータ要件を満たすことのいずれか１つを含む。
【００５９】
一実施形態では、この方法は、更に、第２のタイプのパラメータ集合のシグナリングの送信から第２のタイプのパラメータ集合のシグナリングが有効になるまでの時間、又は第３のタイプのパラメータ集合のシグナリングの送信から第３のタイプのパラメータ集合のシグナリングが有効になるまでの時間は、Ｙ個の時間単位又はＸ個の時間窓を含む。時間単位は、直交周波数分割多重化（orthogonal frequency division multiplexing：ＯＦＤＭ）シンボル、スロット、又はサブフレームである。
【００６０】
一実施形態では、この方法は、更に、第１のタイプのパラメータ集合内のインジケータ要素をアクティブ化又は選択した後、又は第２のタイプのパラメータ集合にインジケータ要素を追加した後、これらの要素についてチャネル特性仮定を満たす第３のタイプの参照信号を送信することを含み、チャネル特性仮定は、ＱＣＬ仮定、空間ＱＣＬ仮定、又は空間受信パラメータ要件を満たすことのいずれか１つを含む。
【００６１】
一実施形態では、この方法は、更に、第１のタイプのパラメータ集合内のインジケータ要素をアクティブ化又は選択し又は第２のタイプのパラメータ集合にインジケータ要素を追加する際、Ｘ個の時間単位後、又は第２の通信ノードが応答した肯定応答のＸ個の時間単位後に、第３のタイプの参照信号を送信すること、又は周期的又は半永続的送信窓上で第３のタイプの参照信号を送信することを更に含み、Ｘは、０以上の整数であり、時間単位は、ＯＦＤＭシンボル、スロット、又はサブフレームである。
【００６２】
一実施形態では、第３のタイプの参照信号は、ＣＳＩ−ＲＳ、時間周波数トラッキングに使用されるＣＳＩ−ＲＳ、又はＴＲＳの１つを含む。
【００６３】
本開示の実施形態は、参照信号と以前の参照信号との関連付け（組み合わせ）に必要なインジケータ指示情報プール、及びこの関連付け（組み合わせの）の有効時間及びマッピング方法を確立する。更に、本開示の実施形態は、ＤＬ及びＵＬ参照信号（グループ）のビーム指示を提供する。更に、階層的参照信号インジケータ指示方法を提供する。時間周波数トラッキング信号をアクティブ化し、待ち時間を指定することに関連して、参照信号と参照信号との間の１対１マッピング関係、参照信号と参照信号との間の１対多マッピング関係、参照信号と参照信号との間の多対多マッピング関係、及びチャネル特性仮定が実現される。このソリューションは、グローバルビーム番号指示を有さず、ビーム指示は、参照信号インジケータ集合を柔軟に拡張又は修正することによって実施できる。
【００６４】
チャネル特性は、水平送信方位、垂直送信方位、水平受信方位、垂直受信方位等の物理的な送信チャネル特性を含み、更に、アンテナ素子パターン、アンテナ配置、ベースバンドの時間オフセット、周波数オフセット、位相ノイズ等の無線周波数及びベースバンド回路の特性を含む。
【００６５】
ビームは、リソース（送信機プリコーディング、受信機プリコーディング、アンテナポート、アンテナ重みベクトル、及びアンテナ重み行列等）であってもよく、ビームは、送信における幾つかの時間周波数コードリソースに紐づけできるため、ビームシンボルは、リソースインジケータに置換できる。また、ビームは、送信（送受信）モードであってもよく、送信モードは、空間分割多重化、周波数領域／時間領域ダイバーシチ等を含んでもよい。
【００６６】
ビーム指示は、送信側が、現在の参照信号及びアンテナポート、並びにＵＥによってフィードバックされるアンテナポート及び参照信号（又は基準ＲＳ）のＱＣＬ仮定を介して指示を実行できることを意味する。
【００６７】
ここで、受信ビームとは、指示する必要がない受信側のビーム現在の参照信号及びアンテナポート、並びにＵＥによってフィードバックされたアンテナポート及び参照信号（又は基準ＲＳ）のＱＣＬ仮定を介して送信側に指示される受信側のビームリソースを指す。
【００６８】
ＱＣＬに関連するパラメータは、少なくとも、ドップラー拡散、ドップラーシフト、遅延拡散、平均遅延、平均利得、又は空間的受信パラメータを含む。
【００６９】
図２は、本開示の一実施形態に基づく参照信号関連インジケータ集合の概略図である。図２に示すように、基地局は、無線リソース制御（ＲＲＣ）シグナリングメッセージを介して、ＣＳＩ−ＲＳリソースプールを設定する。リソースプールの設定は、ＵＥ固有のＲＲＣ又はシステムブロードキャストメッセージを介して各ユーザに送信される。各ＣＳＩ−ＲＳリソースは、インジケータ情報を有し、その後、ＣＳＩ−ＲＳリソース設定が行われる。具体的には、幾つかのリソースがＣＳＩ−ＲＳリソースプールから選択されてＣＳＩ−ＲＳリソース集合を形成する。１つのＣＳＩ−ＲＳリソース設定に複数のＣＳＩ−ＲＳリソース集合を含めてもよい。一方、各ＣＳＩ−ＲＳリソースのパラメータは、これに応じて、要素マッピング、ポート量、時間領域挙動特性（周期的、半永続的、非周期的等）等が構成される。
【００７０】
参照信号の測定及び報告を通じて、基地局は、以前に送信された参照信号、例えば、送信ビーム情報から理想的な参照信号インジケータを選択できる。具体的には、基地局は、第１のタイプの参照信号に関連する第１のタイプのインジケータの集合を設定し、この集合は、Ｎ個のインジケータ要素を含む。
【００７１】
第１のタイプのシグナリングは、この集合を搬送するために生成される。
【００７２】
第１のタイプのシグナリングは、第２の通信ノードに送信される。
【００７３】
Ｎは、１以上の整数である。
【００７４】
インジケータ要素は、インジケータ要素番号、参照信号（ＲＳ）タイプインジケータ、ＲＳリソース設定インジケータ、ＲＳリソース設定インジケータ、ＲＳリソースインジケータ、ＲＳリソースポートインジケータ、ブロックインジケータ、ブロックバーストインジケータ、ブロックバースト集合インジケータ、測定制約窓インジケータ、時間領域窓インジケータ、報告設定インジケータ、ビームグループインジケータ、測定制約、設定制約、又は時間領域制約である設定情報の少なくとも１つ又はこれらの組み合わせを含む。
【００７５】
測定制約とは、最後に測定されたタグ、最後に測定されたＸ個のタグ、又は各測定に対応するタグが、制約のための最後のタグ−ｋ、干渉、又は信号測定等の組み合わせを設定するように指示することを意味する。Ｘは、１以上の整数である。更に、基地局は、参照信号インジケータが干渉指向測定モードのインジケータ情報であるか、チャネル指向測定モードのインジケータ情報であるかを判定する。更に、２種類の測定モードが参照信号設定の一部を共有してもよい。
【００７６】
設定制約とは、最新の設定、最新のＹ個の設定、又は各設定に対応するタグが、最新のタグ−ｍを設定するように指示することを意味する。Ｙは、１以上の整数である。
【００７７】
時間制約は、時間領域窓ｘ、又は最も近い時間窓である。ｘは、時間領域窓の表現インジケータである。また、時間領域制約とは、測定制限窓の上位レベルのインジケータを指す。例えば、測定制限窓インジケータは、変動範囲が０〜３であり、時間領域で周期的に変動する。時間領域制約は、周期的サイクルにおける各サイクルのインジケータを指し、例えば、０〜１５の範囲で変化する。なお、周期的な特性を考慮すると、これは、構成時に最も近い時間領域窓０〜１５である。
【００７８】
第１のタイプのシグナリングは、ＲＲＣシグナリングであってもよく、ＭＡＣ−ＣＥシグナリングであってもよい。
【００７９】
更に、インジケータ情報は、基準として機能する時間領域参照点（前の時間単位Ｘ、又は最後に設定されたＸ個の時間単位等）に関連付けられる。また、基準となる時間領域参照点は、第１のタイプのシグナリングの送信時であり、或いは、第１のタイプのシグナリングの送信時に、事前定義又は事前設定された時間領域オフセットを加えたものであり、或いは、周期的な時間領域参照点が設定され、第１のタイプのシグナリングの送信時の最新の、新たに発生した、又は送信されようとしている時間領域参照点（周期時間領域参照点内）が基準となる時間領域参照点とされ、或いは、周期的な時間領域窓が設定され、第１のタイプのシグナリングの送信時の直近に進行中であった、進行中の、又は進行しようとしている時間領域窓（周期的時間領域窓内）が基準となる時間領域参照点とされる。
【００８０】
なお、第１のタイプの参照信号は、構成された参照信号、測定された参照信号、又は報告された参照信号である。第１のタイプの参照信号は、ＳＳブロック、ＣＳＩ−ＲＳ、ＳＲＳ、ＰＲＡＣＨ、又はＤＭＲＳの少なくとも１つを含む。
【００８１】
説明の便宜上、図２には、ＣＳＩ−ＲＳ信号のみを示しているが、これは、他の参照信号と複数の参照信号とが関連していないことを意味するものではない。例えば、ＳＳブロックについては、インジケータ情報は、ＳＳブロックインジケータ、ＳＳブロックバーストインジケータ、ＳＳブロックバースト集合インジケータ、及び時間領域窓インジケータの１つ又は組み合わせであってもよい。
【００８２】
周期的又は半永続的ＣＳＩ−ＲＳについては、インジケータ情報は、窓／報告ＩＤ＋ＣＳＩ−ＲＳリソース集合ＩＤ＋ＣＲＩ（ＣＳＩ−ＲＳリソースインジケータ）、又は窓／報告ＩＤ＋ＣＳＩ−ＲＳリソース設定ＩＤ（＋ＣＳＩ−ＲＳリソース集合ＩＤ）＋ＣＲＩであってもよい。また、ここでの窓ＩＤは、測定制限窓インジケータであってもよく、報告設定インジケータであってもよい。更に、窓ＩＤ（測定制限インジケータ等）は、２レベルのインジケータで構成してもよい。例えば、測定制限窓インジケータは、０から３に変化し、時間領域期間中に循環し、時間領域制約は、サイクル期間の各サイクルのインジケータを示し、例えば、０〜１５の範囲で変化する。なお、周期的な特性を考慮すると、これは、構成時に最も近い時間領域窓０〜１５である。
【００８３】
非周期的ＣＳＩ−ＲＳについては、インジケータ情報は、窓／報告ＩＤ＋ＣＳＩ−ＲＳリソースＩＤ＋ＣＲＩ、或いは、窓／報告ＩＤ＋ＣＳＩ−ＲＳリソース設定ＩＤ（＋ＣＳＩ−ＲＳリソース集合ＩＤ）＋ＣＲＩ、或いは、最近トリガーされたＣＳＩ−ＲＳリソース設定、或いは、報告設定内のＣＳＩ−ＲＳリソース設定ＩＤ＋ＣＳＩ−ＲＳリソース設定ＩＤ＋ＣＲＩであってもよい。
【００８４】
周期的又は半永続的ＣＳＩ−ＲＳについては、インジケータ情報は、窓ＩＤ／ＳＲＳリソース設定ＩＤ＋（ＳＲＳリソース集合ＩＤ）＋ＳＲＩ（ＳＲＳリソースインジケータ）であってもよい。
【００８５】
非周期的又は半永続的ＳＲＳについては、窓ＩＤ／ＳＲＳリソース設定ＩＤ＋（ＳＲＳリソース集合ＩＤ）＋ＳＲＩ又は最近トリガーされた（ＳＲＳリソース集合Ｘ）＋ＳＲＩであってもよい。
【００８６】
更に、基地局は、ＲＲＣ又はＭＡＣ-ＣＥシグナリングを介して、第１のタイプの集合を再構成してもよい。具体的な動作は、第１のタイプの集合内のインジケータ要素の一部の更新、第１のタイプの集合内のインジケータ要素の一部の削除、第１のタイプの集合へのインジケータ要素の追加を含む。
【００８７】
再構成を実施するために、第１のタイプのパラメータ集合内の構成されたインジケータ要素番号が、シグナリングによって示されるインジケータ要素番号と一致する場合、シグナリングの指示に従って、構成されたインジケータ要素番号下の内容が更新される。
【００８８】
構成の観点からは、各構成の最大数は、Ｎであるが、標準サポートの観点からは、サポートされるインジケータ要素の最大数は、Ｎ以上である。
【００８９】
図３は、本開示の一実施形態に基づく参照信号のチャネル特性の指示の概略図である。図３に示すように、基地局は、構成又は再構成された第１のタイプの集合に従って、第１のタイプの集合内のインジケータ要素をアクティブ化又は非アクティブ化するための第２のタイプのシグナリングを送信し、Ｋ個のアクティブ化されたインジケータ要素は、第２のタイプの集合を構成する。ＣＳＩ−ＲＳを例にとると、基地局は、ＣＳＩ−ＲＳインジケータ集合内のインジケータ要素をアクティブ化することを選択する。更に、基地局は、第２タイプの集合を直接的に再構成でき、これは、インジケータ要素を第２タイプの集合に追加すること、又は第１のタイプの集合に属さないインジケータ要素を第２のタイプの集合から削除することを含む。
【００９０】
更に、第１のタイプの集合内のインジケータ要素がアクティブ化され又はインジケータ要素が第２のタイプの集合に追加されると、第１の通信ノードは、事前定義された送信モードに従って、Ｘ個の時間単位後、又は第２の通信ノードが確認応答したＸ個の時間単位後に、直接、周期的又は半永続的な送信窓上で第３のタイプの参照信号を送信する。第３のタイプの参照信号は、第１のタイプの集合のインジケータ要素をアクティブ化し又は第２のタイプの集合にインジケータ要素を追加してチャネル特性仮定を満たす必要がある。更に、チャネル特性仮定は、ＱＣＬ仮定、空間ＱＣＬ仮定、又は空間受信パラメータ要件を満たすことである。
【００９１】
Ｘは、０以上の整数であり、時間単位は、ＯＦＤＭシンボル、スロット、又はサブフレームであってもよい。また、第３のタイプの参照信号は、ＣＳＩ−ＲＳ、時間−周波数領域追跡用のＣＳＩ−ＲＳ、又はＴＲＳである。
【００９２】
更に、第３のタイプの参照信号の設定、第１のタイプの集合のインジケータ要素のアクティブ化、第２のタイプの集合へのインジケータ要素の追加を事前設定してもよい。例えば、第３のタイプの参照信号の潜在的な送信窓は、まず、ＲＲＣシグナリング（ＳＳブロックとの関係等）及び基準参照信号との関係において構成される。次に、第３のタイプの参照信号は、基準参照信号と、「第１のタイプの参照信号のインジケータ要素をアクティブ化し又は第２のタイプの集合にインジケータ要素を追加する」ことに基づくインジケータ要素によって表される参照信号との間の対応のために送信される。
【００９３】
例えば、ＴＲＳ信号を構成する場合、まず、ＴＲＳとＳＳブロックとの対応関係を構成する。次に、第１のタイプの参照信号のインジケータ要素がアクティブ化された後、インジケータ要素に対応する参照信号と、あるＳＳブロックとがチャネル特性仮定を満たす。これに基づき、同一のＳＳブロックでチャネル特性仮定を満たすＴＲＳ信号が可能となる。この動作は、事前設定されたシグナリング又は追加のシグナリングに基づいて指示される。
【００９４】
次に、インジケータ要素がアクティブ化された第１のタイプの集合又はインジケータ要素が追加された第２のタイプの集合に基づいて、基地局は、インジケータ要素が使用されていることを指示してビーム指示を行う。なお、第１の集合から第２の集合を選択することにより、第２の集合の要素数は、第１の集合の要素数よりも大幅に少なくなる。したがって、ＤＣＩがビーム指示を行うと、ＤＣＩコストが大幅に削減される。例えば、必要とされるのは２ビットのみとなる。ビーム指示は、制御又はデータチャネルの復調参照信号及びＤＣＩによって指示された参照信号が、空間ＱＣＬ仮定を満たす、例えば、空間受信パラメータ仮定に従うことを意味する。幾つかの実施形態では、基地局は、第３のタイプのシグナリングを生成する。第３のタイプのシグナリングは、第２のタイプの集合又は第３のタイプの集合の下位集合内のインジケータ要素が第２のタイプの参照信号に関連付けられていることを示し、関連付けは、第２のタイプの参照信号及び第２のタイプの集合又は第３のタイプの集合の下位集合内のインジケータ要素に対応する参照信号がチャネル特性仮定を満たすことを示す。チャネル特性仮定は、ＱＣＬ、空間ＱＣＬパラメータ、又は空間受信ＱＣＬパラメータのいずれか１つを含む。
【００９５】
図４は、本開示の一実施形態に基づく参照信号番号組合せグループ化の概略図である。図４には、第３のタイプの集合を構成する方法が示されている。具体的には、第３のタイプの集合は、第２のタイプの集合及び／又は第１のタイプの集合から選択されたインジケータ要素によって構成され、Ｒ個の第３のタイプの下位集合を含み、ここで、第３のタイプの下位集合は、ｈｉ個のインジケータ要素を含む。例えば、同図において、第３のタイプの集合は、３個の下位集合を含み、第３の下位集合（ＩＤ−１０）は、２つのインジケータ情報を含み、これは、２つの異なるビーム方向を同時に示すことができることを示している。次に、ＤＣＩシグナリングは、第３のタイプの集合の下位集合（例えば、１０は、ＤＭＲＳポートグループを表す）が、指示された参照信号インジケータの下位集合に関連付けられていることを示し、例えば、空間ＱＣＬ仮定又は「ドップラー拡散、ドップラーシフト、遅延拡散、平均遅延、及び空間的受信パラメータ」のＱＣＬ仮定を少なくとも満たすことを示す。
【００９６】
図４に示すように、まず、ＲＲＣシグナリングによってＣＳＩ−ＲＳインジケータリポジトリ（例えば、第１のタイプの集合）を設定して更新した後、ＭＡＣ-ＣＥによってＣＳＩ−ＲＳインジケータ要素（例えば、第２のタイプの集合）をアクティブ化する。更に、ＭＡＣ−ＣＥは、第２のタイプの集合にインジケータ要素を直接追加してもよい。第２のタイプの集合に基づいて、ＭＡＣ−ＣＥは、第２のタイプの集合から第３のタイプの集合を構成することを選択できる。第３のタイプの集合は、３つの下位集合を含み、ＩＤ−１０下位集合は、２つのインジケータ要素を含む。ＤＣＩシグナリングは、第３のタイプの集合から下位集合を選択し、ＰＤＳＣＨのＤＭＲＳポートのＱＣＬ仮定指示を実行する。ＩＤ−１０下のインジケータ要素は、ＤＭＲＳポートグループａ及びｂにマッピングされる。第２のタイプの参照信号下位集合又は第２のタイプの参照信号要素は、ＩＤ−１０下位集合の１つのインジケータ要素のみにマッピングできる。
【００９７】
第２のタイプの参照信号は、ＵＬ  ＤＭＲＳ、ＤＬ  ＤＭＲＳ、ＣＳＩ−ＲＳ、ＳＲＳ、又はＴＲＳの少なくとも１つ又は組み合わせであってもよい。
【００９８】
更に、第２のタイプの参照信号は、Ｕ個の第２のタイプの参照信号下位集合を含み、各第２のタイプの参照信号下位集合は、チャネル特性仮定を満たす。
【００９９】
第２のタイプの集合内の指示されたインジケータ要素の数又は第３のタイプの下位集合内の指示されたインジケータ要素の数は、Ｔである。
【０１００】
ここで関連付けは、事前定義された規則に従って、第２タイプの参照信号下位集合が指示されたインジケータ要素にマッピングされることを意味する。
【０１０１】
事前定義された規則は、以下の規則の１つ又は組み合わせを含む。
【０１０２】
第１の通信ノードによって構成された又は事前定義されたマッピング関係集合からのマッピング関係を指定する。
【０１０３】
シーケンス番号の昇順又はシーケンス番号の降順に、Ｕ個の第２のタイプの参照信号下位集合がＶステップを有するＴ個のインジケータ要素又は下位集合にマッピングされるように指定する。
【０１０４】
事前定義されたマッピングパターンに従って、Ｕ個の第２タイプの参照信号下位集合をＴ個のインジケータ要素又は下位集合に連続的にマッピングする。
【０１０５】
Ｖは、１又は１より大きい又は１より小さい正の数である。累積ステップが整数ではない場合、Ｖは、整数に切り上げられ、整数に切り捨てられ、又は最も近い整数に丸められる。また、ＵがＴ／Ｖより小さい場合、最後のビットのインジケータ要素は、破棄される。ＵがＴ／Ｖより大きい場合、巡回マッピングが実行される。更に、Ｖ＝Ｔ／Ｕであり、又はＶは第１の通信ノードによって指定される。
【０１０６】
また、第２のタイプ又は第３のタイプの集合のシグナリングの生成から第２のタイプ又は第３のタイプの集合のシグナリングが有効になるまでには、Ｙ個の時間単位又はＵ個の時間窓を要する。
【０１０７】
時間単位は、ＯＦＤＭシンボル、スロット、又はサブフレームであってもよい。
【０１０８】
図５は、本開示の一実施形態に基づく参照信号チャネル特性、並びにＰＱＩ及びＣＳＩ−ＲＳインジケータ要素を介するリソースマッピングを共に示す概略図である。図５に示すように、ＣＳＩ−ＲＳインジケータ集合は、上位層シグナリングによって構成される。表１は、ＣＳＩ−ＲＳインジケータ集合と、インジケータ集合内のインジケータ要素に対応するＣＳＩ−ＲＳリソースの指示情報を示している。また、インジケータ要素に対応するＣＳＩ−ＲＳリソースの指示情報により送信ビームが指示され、例えば、送信ビームの指示は、ＣＳＩ−ＲＳリソース設定ＩＤ＋ＣＳＩ−ＲＳリソースインジケータ（ＣＲＩ）又はＣＳＩ−ＲＳリソース設定ＩＤ＋ＣＳＩ−ＲＳリソース設定インジケータ＋ＣＳＩ−ＲＳリソースインジケータ（ＣＲＩ）によって示される。
【０１０９】
【表１】
2020529804.tif 000003
【０１１０】
更に、基地局は、上位層シグナリングを介してＮ個のＰＱＩパラメータ集合を構成して、ＰＤＳＣＨ  ＲＥマッピング及びＱＣＬ情報を指示する。各ＰＱＩパラメータ集合は、データチャネルリソース要素（resource element：ＲＥ）のマッピング情報、制御チャネルＲＥのマッピング情報、ＤＭＲＳポートのＱＣＬ情報、ＤＭＲＳポートグループのＱＣＬ情報、又はＣＳＩ−ＲＳ参照信号設定情報を含む。
【０１１１】
次に、基地局は、ＣＳＩ−ＲＳインジケータ集合からＣＳＩ−ＲＳインジケータをアクティブ化又は非アクティブ化し、Ｎ個のＰＱＩパラメータ集合からＭ個のパラメータ集合を選択し、ここで、Ｍ及びＮは、１より大きい整数である。
【０１１２】
各ＰＱＩパラメータ集合内のＤＭＲＳポートグループは、ＣＳＩ−ＲＳインジケータ集合からの１又は複数のアクティブ化されたＣＳＩ−ＲＳインジケータで構成され、空間受信パラメータの下でＱＣＬ仮定指示に使用される。更に、ＣＳＩ−ＲＳが周期的又は半永続的である場合、ＣＳＩ−ＲＳに対応する測定制限窓ＩＤを設定する必要がある。
【０１１３】
各ＰＱＩパラメータ集合内のＤＭＲＳポートグループは、ＴＲＳリソースに関連し、ドップラーシフト、ドップラー拡散、平均遅延、遅延拡散等のパラメータの下でＱＣＬ仮定指示に使用される。
【０１１４】
最後に、基地局は、ＤＣＩシグナリングを介したデータチャネル復調のためにアクティブ化されたＰＱＩパラメータ集合を指示する。
【０１１５】
ＰＱＩパラメータ集合に対するＣＳＩ−ＲＳインジケータ要素とＴＲＳ情報の設定を表２に示す。更に、ＣＳＩ−ＲＳが周期的又は半永続的な参照信号である場合、測定制限窓インジケータは、ＣＳＩ−ＲＳインジケータ要素を備える必要がある。
【０１１６】
【表２】
2020529804.tif 000004
【０１１７】
要約すると、本開示の実施形態によって提供される技術的ソリューションに基づいて、参照信号と前の参照信号との関連付け（組み合わせ）によって必要とされるインジケータ指示情報プール、及び関連付け（組み合わせ）の有効時間及びマッピング法が確立される。更に、ＤＬ及びＵＬ参照信号（グループ）のビーム指示が提供される。更に、階層的参照信号インジケータ指示方法が提供される。時間周波数トラッキング信号をアクティブ化し、待ち時間を指定することに関連して、参照信号と参照信号との間の１対１マッピング関係、参照信号と参照信号との間の１対多マッピング関係、参照信号と参照信号との間の多対多マッピング関係、及びチャネル特性仮定が実現される。このソリューションは、グローバルなビーム番号指示を有さず、ビーム指示は、参照信号インジケータ集合を柔軟に拡張又は修正することによって実施できる。
【０１１８】
実施形態２
本発明の別の実施形態は、第１の通信ノードに適用される参照信号構成装置を提供する。図６は、本発明の一実施形態に基づく参照信号構成装置のブロック図である。図６に示すように、この装置は、第１の構成モジュール６２、第１の生成モジュール６４、及び第１の送信モジュール６６を含む。
【０１１９】
第１の構成モジュール６２は、第１のタイプの参照信号インジケータの第１のタイプのパラメータ集合を設定するように構成されている。第１のタイプのパラメータ集合は、Ｎ個のインジケータ要素を含み、Ｎは、１以上の整数である。
【０１２０】
第１の生成モジュール６４は、第１のタイプのパラメータ集合に従って第１のタイプのシグナリングを生成するように構成され、第１のタイプのシグナリングは、第１のタイプのパラメータ集合を搬送する。
【０１２１】
第１の送信モジュール６６は、第１のタイプのシグナリングを第２の通信ノードに送信するように構成されている。
【０１２２】
一実施形態では、第１のタイプのパラメータ集合は、データチャネルリソース要素（ＲＥ）のマッピング情報、制御チャネルＲＥのマッピング情報、復調参照信号（ＤＭＲＳ）ポートの準コロケーション（ＱＣＬ）情報、ＤＭＲＳポートグループのＱＣＬ情報、又はチャネル状態情報参照信号（ＣＳＩ−ＲＳ）の参照信号設定情報のパラメータのうちの少なくとも１つを含む。
【０１２３】
一実施形態では、第１のタイプのパラメータ集合は、Ｆ個の第１のタイプのパラメータ下位集合を含み、各下位集合は、Ｇ個のインジケータ要素を含み、ここで、Ｆ及びＧは、１以上の整数である。
【０１２４】
一実施形態では、第１のタイプのパラメータ下位集合に含まれる参照信号は、Ｇ個のインジケータ要素の１つに関連付けられる。
【０１２５】
この関連付けは、第１のタイプのパラメータ下位集合に含まれる参照信号と、関連するインジケータ要素に対応する参照信号とが、チャネル特性仮定を満たすことであり、ここで、チャネル特性仮定は、ＱＣＬ仮定、空間ＱＣＬ仮定、又は空間受信パラメータ要件を満たすことのいずれか１つを含む。
【０１２６】
一実施形態では、インジケータ要素は、インジケータ要素番号、参照信号（ＲＳ）タイプインジケータ、ＲＳリソース設定インジケータ、ＲＳリソース集合インジケータ、ＲＳリソースインジケータ、ＲＳリソースポートインジケータ、ブロックインジケータ、ブロックバーストインジケータ、ブロックバースト集合インジケータ、測定制約窓インジケータ、時間領域窓インジケータ、報告設定インジケータ、ビームグループインジケータ、測定制約、設定制約、及び時間領域制約の設定情報のうちの少なくとも１つを含む。
【０１２７】
一実施形態では、第１のタイプのシグナリングを第２の通信ノードに送信する際、第１のタイプの参照信号は、設定された参照信号、測定された参照信号、又は報告された参照信号である。
【０１２８】
一実施形態では、第１のタイプの参照信号は、ＳＳブロック、ＣＳＩ−ＲＳ、ＳＲＳ、ＰＲＡＣＨ、ＤＭＲＳの少なくとも１つを含む。
【０１２９】
一実施形態では、この装置は、更に、更新モジュール、削除モジュール、又は追加モジュールを含む。
【０１３０】
更新モジュールは、第１のタイプのパラメータ集合のインジケータ要素の一部を更新し又は第１のタイプの参照信号集合の下位集合の一部を更新するように構成されている。
【０１３１】
削除モジュールは、第１のタイプのパラメータ集合のインジケータ要素の一部を削除し又は第１のタイプの参照信号集合の下位集合の一部を削除するように構成されている。
【０１３２】
追加モジュールは、第１のタイプのパラメータ集合にインジケータ要素を追加するように構成されている。
【０１３３】
一実施形態では、この装置は、更に、第２の構成モジュールを含む。
【０１３４】
第２の構成モジュールは、第１のタイプのパラメータ集合内の構成されたインジケータ要素番号が、シグナリングによって示されるインジケータ要素番号と一致する場合、シグナリングの指示に従って、構成されたインジケータ要素番号下のコンテンツを、シグナリングによって搬送されるコンテンツとして更新又は構成するように構成されている。
【０１３５】
一実施形態では、サポートされる第１のタイプの参照信号インジケータの最大数は、Ｎ以上である。
【０１３６】
一実施形態では、この装置は、更に、第２の生成モジュール及び第２の送信モジュールを含む。
【０１３７】
第２の生成モジュールは、第２のタイプのシグナリングを生成するように構成され、第２のタイプのシグナリングは、第１のタイプのパラメータ集合又は第１のタイプのパラメータ集合の下位集合内のインジケータ要素を選択、アクティブ化、又は非アクティブ化するために使用される。Ｋ個の選択された又はアクティブ化されたインジケータ要素又はＫ個の選択された又はアクティブ化された第１のタイプのパラメータ集合の下位集合は、第２のタイプのパラメータ集合を構成し、ここで、Ｋは、１以上の整数である。
【０１３８】
第２の送信モジュールは、第２のタイプのシグナリングを第２の通信ノードに送信するように構成されている。
【０１３９】
一実施形態では、この装置は、更に、追加又は削除モジュールを含む。
【０１４０】
追加又は削除モジュールは、インジケータ要素を第２タイプのパラメータ集合に追加し又は第１のタイプのパラメータ集合に属していないインジケータ要素を第２タイプのパラメータ集合から削除するように構成されている。
【０１４１】
一実施形態では、この装置は、更に、選択モジュールを含む。
【０１４２】
選択モジュールは、第２のタイプのパラメータ集合又は第１のタイプのパラメータ集合のうちの少なくとも１つからインジケータ要素を選択して第３のタイプのパラメータ集合を構成するように構成されている。第３のタイプのパラメータ集合は、Ｒ個の第３のタイプのパラメータ下位集合を含み、第３のタイプのパラメータ下位集合は、ｈｉ個のインジケータ要素を含み、Ｒ及びｈｉは、１以上の整数である。
【０１４３】
一実施形態では、この装置は、更に、第３の生成モジュールと第４の送信モジュールとを含む。
【０１４４】
第３の生成モジュールは、第３のタイプのシグナリングを生成するように構成されている。第３のタイプのシグナリングは、第１のタイプのパラメータ集合内のインジケータ要素、第２のタイプのパラメータ集合内のインジケータ要素、又は第３のタイプのパラメータ集合の下位集合が、第２のタイプの参照信号にマッピングされ及び関連付けられていることを示すために使用される。
【０１４５】
第４の送信モジュールは、第３のタイプのシグナリングを第２の通信ノードに送信するように構成されている。
【０１４６】
本実施形態では、第２のタイプの参照信号は、更に、データチャネルリソース要素（ＲＥ）のマッピング情報、制御チャネルＲＥのマッピング情報、ＤＭＲＳポート情報、ＤＭＲＳポートグループ情報、チャネル状態情報参照信号（ＣＳＩ−ＲＳ）の参照信号設定情報、又は物理ダウンリンク共有チャネルＲＥマッピング及び準コロケーションインジケータ（ＰＱＩ）情報のうちの１つを含む。
【０１４７】
一実施形態では、この装置は、更に、第４の生成モジュール及び第５の送信モジュールを含む。
【０１４８】
第４の生成モジュールは、第４のタイプのシグナリングを生成するように構成され、第４のタイプのシグナリングは、第２のタイプのパラメータ集合内のインジケータ要素、第２のタイプのパラメータ集合内のアクティブ化又は選択された第１のタイプのパラメータ下位集合、又は第１のタイプのパラメータ集合の下位集合、又は第１のタイプのパラメータ集合内のインジケータ要素が、第４のタイプのシグナリングに関連する制御チャネル又はデータチャネルの復調及び／又はビーム指示のために使用されることを示す。
【０１４９】
第５の送信モジュールは、第４のタイプのシグナリングを第２の通信ノードに送信するように構成されている。
【０１５０】
一実施形態では、第２のタイプの参照信号は、Ｕ個の第２のタイプの参照信号下位集合を含み、Ｕ個の第２のタイプの参照信号下位集合のそれぞれは、チャネル特性仮定を満たす。第１のタイプのパラメータ集合内のインジケータ要素の数、第２のタイプのパラメータ集合内のインジケータ要素の数、又は第３のタイプのパラメータ下位集合内のインジケータ要素の数は、Ｔであり、Ｕ及びＴは、１以上の整数である。チャネル特性仮定は、ＱＣＬ仮定、空間ＱＣＬ仮定、又は空間受信パラメータ要件を満たすことのいずれか１つを含む。
【０１５１】
一実施形態では、第２タイプの参照信号下位集合又は第２タイプの参照信号要素は、１つのインジケータ要素のみにマッピングできる。
【０１５２】
一実施形態では、マッピング規則は、以下の規則のうちの少なくとも１つを含む。
【０１５３】
第１の通信ノードによって構成された又は事前定義されたマッピング関係集合からのマッピング関係を指定する。
【０１５４】
シーケンス番号の昇順又はシーケンス番号の降順に、Ｕ個の第２のタイプの参照信号下位集合がＶステップを有するＴ個のインジケータ要素又は下位集合にマッピングされるように指定する。
【０１５５】
事前定義されたマッピングパターンに従って、Ｕ個の第２タイプの参照信号下位集合をＴ個のインジケータ要素又は下位集合に連続的にマッピングする。
【０１５６】
Ｖは、１又は１より大きい又は１より小さい正の数である。累積ステップが整数でない場合、Ｖは、整数に丸められる。
【０１５７】
一実施形態では、Ｖ＝Ｔ／Ｕであり、又はＶは第１の通信ノードによって指定される。
【０１５８】
一実施形態では、第２タイプの参照信号は、ＵＬ  ＤＭＲＳ、ＤＬ  ＤＭＲＳ、ＣＳＩ−ＲＳ、ＳＲＳ、又はＴＲＳのうちの少なくとも１つを含む。
【０１５９】
一実施形態では、第２のタイプの参照信号、並びに第１のタイプのパラメータ集合内のインジケータ要素、第２のタイプのパラメータ集合内のインジケータ要素、又は第３のタイプのパラメータ集合の下位集合に対応する参照信号は、チャネル特性仮定を満たし、チャネル特性仮定は、ＱＣＬ仮定、空間ＱＣＬ仮定、又は空間受信パラメータ要件を満たすことのうちの１つを含む。
【０１６０】
一実施形態では、第２のタイプのパラメータ集合のシグナリングの送信からシグナリングが有効になる時間までにＹ個の時間単位又はＸ個の時間窓を要し、又は第３のタイプのパラメータ集合のシグナリングの送信からシグナリングが有効になる時間までにＹ個の時間単位又はＸ個の時間窓を要し、時間単位は、ＯＦＤＭシンボル、スロット、又はサブフレームであってもよい。
【０１６１】
一実施形態では、この装置は、更に、第３の送信モジュールを含む。
【０１６２】
第３の送信モジュールは、第１のタイプのパラメータ集合内のインジケータ要素をアクティブ化又は選択した後、又は第２のタイプのパラメータ集合にインジケータ要素を追加した後、これらの要素についてチャネル特性仮定を満たす第３のタイプの参照信号を送信するように構成されており、チャネル特性仮定は、ＱＣＬ仮定、空間ＱＣＬ仮定、又は空間受信パラメータ要件を満たすことのうちの１つを含む。
【０１６３】
一実施形態では、第３の送信モジュールは、第１のタイプのパラメータ集合内のインジケータ要素がアクティブ化又は選択され又はインジケータ要素が第２のタイプのパラメータ集合に追加されたとき、第２の通信ノードが応答した肯定応答のＸ個の時間単位又はＸ個の時間単位後に、第３のタイプの参照信号を送信し、又は周期又は半永続的な送信窓上で第３のタイプの参照信号を送信するように構成され、ここで、Ｘは、０以上の整数であり、時間単位は、ＯＦＤＭシンボル、スロット、又はサブフレームである。
【０１６４】
一実施形態では、第３のタイプの参照信号は、更に、ＣＳＩ−ＲＳ、時間周波数トラッキングに使用されるＣＳＩ−ＲＳ、又はＴＲＳである。
【０１６５】
これに対応して、本開示の実施形態は、更に、第２の通信ノードに適用される参照信号構成装置を提供する。この装置は、第１の通信ノードによって送信された第１のタイプのシグナリングを受信するように構成された第１の受信モジュールと、第１のタイプのシグナリングに従って第１のタイプの参照信号インジケータの構成された第１のタイプのパラメータ集合を判定するように構成された処理モジュールとを含み、第１のタイプのパラメータ集合は、Ｎ個のインジケータ要素を含み、Ｎは、１以上の整数である。
【０１６６】
一実施形態では、この装置は、更に、第１の通信ノードによって送信された第２のタイプのシグナリングを受信するように構成された第２の受信モジュールを含む。処理モジュールは、第２のタイプのシグナリングに従って、第１のタイプのパラメータ集合又は第１のタイプのパラメータ集合の下位集合内のインジケータ要素を選択、アクティブ化、又は非アクティブ化するように構成されている。Ｋ個の選択された又はアクティブ化されたインジケータ要素又はＫ個の選択された又はアクティブ化された第１のタイプのパラメータ集合の下位集合は、第２のタイプのパラメータ集合を構成し、Ｋは、１以上の整数である。
【０１６７】
一実施形態では、この装置は、更に、第１の通信ノードによって送信された第３のタイプのシグナリングを受信するように構成された第３の受信モジュールを含む。処理モジュールは、第３のタイプのシグナリングに従って、第１のタイプのパラメータ集合内のインジケータ要素、第２のタイプのパラメータ集合内のインジケータ要素、又は第３のタイプのパラメータ集合の下位集合が、第２のタイプの参照信号にマッピングされ、関連付けられていることを判定するように構成されている。
【０１６８】
一実施形態では、この装置は、更に、第１の通信ノードによって送信された第４のタイプのシグナリングを受信するように構成された第４の受信モジュールを含む。処理モジュールは、第４のタイプのシグナリングに従って、第２のタイプのパラメータ集合内のインジケータ要素、第２のタイプのパラメータ集合内のアクティブ化又は選択された第１のタイプのパラメータ下位集合内のインジケータ要素、又は第１のタイプのパラメータ集合内のインジケータ要素が、第４のタイプのシグナリングに関連する制御チャネル又はデータチャネルの復調及び／又はビーム指示に使用されることを判定するように構成されている。
【０１６９】
なお、上述した様々なモジュールは、ソフトウェアで実現してもよく、ハードウェアで実現してもよい。ハードウェアによる実現では、以下に限定されるものではないが、上述した様々なモジュールが同じプロセッサに配置されてもよく、上述した様々なモジュールが任意の組み合わせでそれぞれのプロセッサに配置されてもよい。
【０１７０】
実施形態３
本開示の実施形態は、更に、記憶媒体を提供する。記憶媒体は、記憶されたプログラムを含む。プログラムが実行されると、上述した第１の通信ノード又は第２の通信ノードのいずれかの方法が実行される。
【０１７１】
オプションとして、本実施形態では、記憶媒体は、以下に説明するステップを実行するためのプログラムコードを記憶するように構成できる。
【０１７２】
ステップＳ１１では、第１のタイプの参照信号インジケータの第１のタイプのパラメータ集合が構成され、第１のタイプのパラメータ集合は、Ｎ個のインジケータ要素を含み、Ｎは、１以上の整数である。
【０１７３】
ステップＳ１２では、第１のタイプのパラメータ集合に従って第１のタイプのシグナリングが生成され、第１のタイプのシグナリングは、第１のタイプのパラメータ集合を搬送する。
【０１７４】
ステップＳ１３では、第１のタイプのシグナリングが第２の通信ノードに送信される。
【０１７５】
オプションとして、この実施形態では、記憶媒体は、以下に説明するステップを実行するためのプログラムコードを記憶するように構成してもよい。
【０１７６】
ステップＳ３１では、第１の通信ノードから送信された第１のタイプのシグナリングを受信する。
【０１７７】
ステップＳ３２では、第１のタイプのシグナリングに従って、第１のタイプの参照信号インジケータの構成された第１のタイプのパラメータ集合が判定され、第１のタイプのパラメータ集合は、Ｎ個のインジケータ要素を含み、Ｎは、１以上の整数である。
【０１７８】
オプションとして、本実施形態では、上記の記憶媒体は、以下に限定されるものではないが、ＵＳＢフラッシュディスク、リードオンリーメモリ（read-only memory：ＲＯＭ）、ランダムアクセスメモリ（random access memory：ＲＡＭ）、モバイルハードディスク、磁気ディスク、光ディスク、又はプログラムコードを記憶できる他の様々な媒体を含むことができる。
【０１７９】
実施形態４
本開示の実施形態は、更に、プロセッサを提供する。プロセッサは、プログラムを実行するように構成されている。プログラムが実行されると、上記のいずれかの方法におけるステップが実行される。
【０１８０】
オプションとして、本実施形態では、上述のプログラムは、以下に説明するステップを実行するために使用される。
【０１８１】
ステップＳ２１では、第１のタイプの参照信号インジケータの第１のタイプのパラメータ集合が設定され、第１のタイプのパラメータ集合は、Ｎ個のインジケータ要素を含み、Ｎは、１以上の整数である。
【０１８２】
ステップＳ２２では、第１のタイプのパラメータ集合に従って、第１のタイプのシグナリングが生成され、第１のタイプのシグナリングは、第１のタイプのパラメータ集合を搬送する。
【０１８３】
ステップＳ２３では、第１のタイプのシグナリングが第２の通信ノードに送信される。
【０１８４】
オプションとして、この実施形態では、上述のプログラムは、以下に説明するステップを実行するために使用される。
【０１８５】
ステップＳ４１では、第１の通信ノードから送信された第１のタイプのシグナリングを受信する。
【０１８６】
ステップＳ４２では、第１のタイプのシグナリングに従って、第１のタイプの参照信号インジケータの構成された第１のタイプのパラメータ集合が判定され、第１のタイプのパラメータ集合は、Ｎ個のインジケータ要素を含み、Ｎは、１以上の整数である。
【０１８７】
なお、本実施形態における具体例としては、上述した実施形態及び任意の実施形態で説明した例を参照でき、本実施形態では、これらを繰り返さない。
【０１８８】
本開示の上記のモジュール又はステップのそれぞれは、汎用の計算装置によって実施してもよく、モジュール又はステップは、単一の計算装置に集中化してもよく、２つの計算装置からなるネットワーク上に分散してもよく、或いは、モジュール又はステップは、計算装置によって実行可能なプログラムコードによって実施してもよく、したがって、モジュール又はステップは、記憶装置に記憶され、計算装置によって実行されてもよいことは、当業者にとって明らかである。幾つかの状況では、図に示し又はここに説明したステップは、本明細書に記載したものとは、異なる順序で実行してもよく、或いは、モジュール又はステップは、個別に種々の集積回路モジュールに組み込んでもよく又は２つのモジュール又はステップを単一の集積回路モジュールに実装してもよい。このように、本開示は、ハードウェア及びソフトウェアの任意の特定の組み合わせに限定されない。
【０１８９】
以上は、本開示の好ましい実施形態のみを記述しており、本開示を制限することを意図するものではなく、本開示は、様々に変更及び変形できることは、当業者にとって明らかである。本開示の原理内の任意の修正、等価な置換、改良等は、本開示の範囲内にあるものとする。
【図１】
2020529804.tif 000005
【図２】
2020529804.tif 000006
【図３】
2020529804.tif 000007
【図４】
2020529804.tif 000008
【図５】
2020529804.tif 000009
【図６】
2020529804.tif 000010
【手続補正書】
【提出日】令和2年4月9日(2020.4.9)
【手続補正１】
【補正対象書類名】特許請求の範囲
【補正対象項目名】全文
【補正方法】変更
【補正の内容】
【特許請求の範囲】
【請求項１】
無線通信方法であって、
第１の通信ノードによって、無線リソース制御（ＲＲＣ）シグナリングメッセージを第２の通信ノードに送信することであって、前記ＲＲＣシグナリングメッセージは、少なくとも、参照信号と復調参照信号（ＤＭＲＳ）ポートとの間の準コロケーション（ＱＣＬ）関係を示す構成の集合を含み、前記集合は、Ｍ個の構成を含み、Ｍは、１以上の整数であることと、
前記第１の通信ノードによって、メディアアクセス制御（ＭＡＣ）制御要素（ＣＥ）シグナリングメッセージを前記第２の通信ノードに送信することによって、前記構成の集合の下位集合をアクティブ化することと、
前記第１の通信ノードによって、前記構成の集合のアクティブ化された下位集合に対応する構成を指定するダウンリンク制御情報（ＤＣＩ）シグナリングメッセージを前記第２の通信ノードに送信することと、
を含む方法。
【請求項２】
請求項１に記載の方法において、
前記第１の通信ノードによって、前記第２の通信ノードに第２のＭＡＣ  ＣＥシグナリングメッセージを送信することによって、前記構成の集合の第２の下位集合を非アクティブ化することを更に含む方法。
【請求項３】
無線通信方法であって、
第１の通信ノードによって、第２の通信ノードから無線リソース制御（ＲＲＣ）シグナリングメッセージを受信することであって、前記ＲＲＣシグナリングメッセージは、少なくとも、参照信号と復調参照信号（ＤＭＲＳ）ポートとの間の準コロケーション（ＱＣＬ）関係を示す構成の集合を含み、前記集合は、Ｍ個の構成を含み、Ｍは、１以上の整数であることと、
前記第１の通信ノードによって、前記第２の通信ノードからメディアアクセス制御（ＭＡＣ）制御要素（ＣＥ）シグナリングメッセージを受信することによって、前記構成の集合の下位集合をアクティブ化することと、
前記第１の通信ノードによって、前記第２の通信ノードから前記構成の集合のアクティブ化された下位集合に対応する構成を指定するダウンリンク制御情報（ＤＣＩ）シグナリングメッセージを受信することと、
を含む方法。
【請求項４】
請求項３に記載の方法において、
前記第１の通信ノードによって、前記第２の通信ノードから第２のＭＡＣ  ＣＥシグナリングメッセージを受信することによって、前記構成の集合の第２の下位集合を非アクティブ化することを更に含む方法。
【請求項５】
請求項３に記載の方法において、
前記第１の通信ノードによって、前記ＭＡＣ  ＣＥシグナリングメッセージが送信された後、Ｙ個のスロットに前記構成の集合のアクティブ化された下位集合を適用することを更に含む方法。
【請求項６】
請求項１又は請求項３に記載の方法において、前記構成の集合のそれぞれは、Ｎ個のインジケータ要素を含み、Ｎは、１以上の整数であり、各インジケータ要素は、参照信号リソースインジケータを含む方法。
【請求項７】
請求項１又は請求項３に記載の方法において、前記参照信号は、同期信号（ＳＳ）ブロック又はチャネル状態情報参照信号（ＣＳＩ−ＲＳ）を含む方法。
【請求項８】
無線通信装置において、
プロセッサと、
プロセッサ実行可能命令が格納されているメモリと、を備え、
前記プロセッサによる前記プロセッサ実行可能命令の実行時に、前記プロセッサは、
無線リソース制御（ＲＲＣ）シグナリングメッセージを通信ノードに送信し、前記ＲＲＣシグナリングメッセージは、少なくとも、参照信号と復調参照信号（ＤＭＲＳ）ポートとの間の準コロケーション（ＱＣＬ）関係を示す構成の集合を含み、前記集合は、Ｍ個の構成を含み、Ｍは、１以上の整数であり、
メディアアクセス制御（ＭＡＣ）制御要素（ＣＥ）シグナリングメッセージを前記通信ノードに送信することによって、前記構成の集合の下位集合をアクティブ化し、
前記構成の集合のアクティブ化された下位集合に対応する構成を指定するダウンリンク制御情報（ＤＣＩ）シグナリングメッセージを前記通信ノードに送信するように構成される装置。
【請求項９】
請求項８に記載の装置において、
前記プロセッサは、前記通信ノードに第２のＭＡＣ  ＣＥシグナリングメッセージを前記送信することによって、前記構成の集合の第２の下位集合を非アクティブ化するように構成される装置。
【請求項１０】
無線通信装置であって、
プロセッサと、
プロセッサ実行可能命令が格納されているメモリと、を備え、
前記プロセッサによる前記プロセッサ実行可能命令の実行時に、前記プロセッサは、
通信ノードから無線リソース制御（ＲＲＣ）シグナリングメッセージを受信し、前記ＲＲＣシグナリングメッセージは、少なくとも、参照信号と復調参照信号（ＤＭＲＳ）ポートとの間の準コロケーション（ＱＣＬ）関係を示す構成の集合を含み、前記集合は、Ｍ個の構成を含み、Ｍは、１以上の整数であり、
前記通信ノードからメディアアクセス制御（ＭＡＣ）制御要素（ＣＥ）シグナリングメッセージを受信することによって、前記構成の集合の下位集合をアクティブ化し、
前記通信ノードから前記構成の集合のアクティブ化された下位集合に対応する構成を指定するダウンリンク制御情報（ＤＣＩ）シグナリングメッセージを受信するように構成される装置。
【請求項１１】
請求項１０に記載の装置において、
前記プロセッサは、前記通信ノードから第２のＭＡＣ  ＣＥシグナリングメッセージを受信することによって、前記構成の集合の第２の下位集合を非アクティブ化するように構成される装置。
【請求項１２】
請求項１０に記載の装置において、
前記プロセッサは、前記ＭＡＣ  ＣＥシグナリングメッセージが送信された後、Ｙ個のスロットに前記構成の集合のアクティブ化された下位集合を適用するように構成される装置。
【請求項１３】
請求項８又は請求項１０に記載の装置において、
前記構成の集合のそれぞれは、Ｎ個のインジケータ要素を含み、Ｎは、１以上の整数であり、各インジケータ要素は、参照信号リソースインジケータを含む装置。
【請求項１４】
請求項８又は請求項１０に記載の装置において、
前記参照信号は、同期信号（ＳＳ）ブロック又はチャネル状態情報参照信号（ＣＳＩ−ＲＳ）を含む装置。
【請求項１５】
プロセッサによって実行されたときに、前記プロセッサに請求項１から請求項７のいずれか一項に記載の方法を実施させるコンピュータ可読コードを格納する、非一時的コンピュータ可読記憶媒体。
【国際調査報告】
2020529804.tif 000011
2020529804.tif 000012
2020529804.tif 000013
2020529804.tif 000014